(57)【要約】【課題】発光ダイオードの点滅順序をコントロールでき、発光ダイオードの分布位置も任意に変更できる発光点滅するクリスマスツリー装置を提供すること。【解決手段】導電管と、本体の上に付着した導電板と、導電板の背面底部に付着した絶縁体と、本体の差し込み穴の中へ差し込んで固定できる差し込み棒と、差し込み棒の上に巻きつけた発光ダイオードと、発光ダイオードと接続された導電マグネット器と、発光エレメント制御器と、発光エレメント制御器と接続して低電流電圧を提供する電源サプライヤーと、導電管を搭載した導電管台座と、を含む。【選択図】図1
0003120299.tif 000002
【実用新案登録請求の範囲】
【請求項１】
少なくとも、本体の上に複数の差し込み穴を備えた導電管と、
本体の上に付着し、且つその体積が前記導電管より小さい導電板と、
導電板の背面底部に置かれ、その体積が導電板より大きく、導電板と導電管を分割絶縁させることの出来る絶縁体と、
細長い棒であって、本体の差し込み穴へ差し込むことの出来る差し込み棒と、
磁気吸着式接点差し込みであり、両端に分岐ヘッドを備え、その一端が導電管に付着し、他の一端が導電板の上に付着した導電マグネット器と、
発光エレメントであって、導電マグネット器と直列につながり、且つ複数の発光ダイオードを一つながりのランプとして、差し込み棒の上に巻きつけた発光ダイオードと、
導電管及び導電板に接続され、発光エレメントの色及び発光順序を変更出来る発光エレメント制御器と、
発光エレメント制御器と連結し、その上に電源差し込みを備え、家庭用電圧によって電源電圧を供給できると共に、家庭用電圧を低電流電圧に転換し、本考案の電源電圧を提供することの出来る電源サプライヤーと、
導電管をその上に置き、導電管が佇立できるようにした導電管の台座と、を含むことを特徴とする、
発光点滅するクリスマスツリー装置。
【請求項２】
前記導電管の形状は、長方四角形であって良いことを特徴とする、請求項１に記載の発光点滅するクリスマスツリー装置。
【請求項３】
前記導電管の形状は、円形であって良いことを特徴とする、請求項１に記載の発光点滅するクリスマスツリー装置。
【請求項４】
前記導電管の形状は、梯子形であって良いことを特徴とする、請求項１に記載の発光点滅するクリスマスツリー装置。
【請求項５】
前記導電板の形状は、細長い形状であることを特徴とする、請求項１に記載の発光点滅するクリスマスツリー装置。
【請求項６】
前記導電マグネット器両端の分岐継ぎ手は、一端が負極マグネット・ヘッドで、他の一端は正極マグネット・ヘッドであることを特徴とする、請求項１に記載の発光点滅するクリスマスツリー装置。
【請求項７】
前記電源サプライヤーに低電流電圧は、２４ボルト以下の信号源電圧であることを特徴とする、請求項１に記載の発光点滅するクリスマスツリー装置。
【考案の詳細な説明】
【技術分野】
【０００１】
本考案は、発光点滅するクリスマスツリー装置に関し、特に多種類の信号源を提供でき、且つ低電圧電源による制御電気回路を利用して、発光ダイオード・ランプの点滅順序をコントロールし、発光ダイオード・ランプの分布位置を任意に変更できると共に、異なる発光ダイオード・ランプの色彩を任意に組み合わせでき、且つ非差し込み式電源システムにより発光点滅するクリスマスツリー装置に関するものである。
【背景技術】
【０００２】
現在、従来のクリスマスツリーの中で、最も良く見かけ、最も大衆に好んで飾られるクリスマスツリーは、大多数がいくつかの樹木体によって構成され、且つクリスマスツリー全体の美しさを添えるため、各樹木体の上に色々な飾り物を吊り下げると共に、クリスマス豆ランプを樹木体の上に巻きつけ、更に電源接続線によってそれぞれのクリスマス豆ランプに必要な電源を供給し、光を
発光させ、クリスマスツリーに美しい視覚を添えて祭日気分を強調している。
【０００３】
しかし、上述クリスマスツリーは、クリスマス豆ランプが発する光によって美しい視覚効果をもたらし、お祝い気分を醸し出すことが出来るが、実際に実行する場合、下記のような欠点がある。
【０００４】
（１）従来のクリスマスツリーのクリスマス豆ランプ飾りは、ガラス製豆電球を使用するので、電気代を浪費し、しかも高電圧製作しなければならないので、汚染を生じやすく、時間を浪費し、且つ安全性も低く、コストも高い。
【０００５】
（２）従来のクリスマスツリーの電源差し込みには、三線出力制御を要し、しかも安全上の問題が起こりやすい。
【０００６】
（３）従来のクリスマスツリーの加工過程では、自動テストを行うことが出来ず、且つ完成品として組み立てる過程が煩雑すぎて、生産スピードが限られ、しかも製作コストもこれに伴って大幅に増大する。
【０００７】
（４）従来のクリスマスツリーの制作方法では、コストが割り高となり、しかも製造工程が長く、良品率が低く、品質の駆動方式及び構造的な生産需要面で、人手が多すぎるため、品質のコントロールが完全に出来ず、クリスマスツリーの品質が不揃いで、安全性に問題があり、従来のクリスマスツリーのコストが下がりにくい主因になっている。
【０００８】
（５）従来のクリスマスツリーの一つながりの豆ランプは、一個でも壊れたら、そのつながり全部が点灯できず、実用上非常に不便である。
【考案の開示】
【考案が解決しようとする課題】
【０００９】
本考案は以上の欠点に鑑みて成されたもので、その主要な目的は、多種類の信号源電圧を提供すると共に、低電圧電源の制御電気回路によって、一つながりの発光ダイオードの点滅順序をコントロールでき、発光ダイオードの分布位置も任意に変更でき、且つ異なる発光ダイオードの色彩組み合わせを行い、及び磁力吸着式接点によって、自由に好みの信号源を選択できる発光点滅するクリスマスツリー装置を提供することにある。
【００１０】
本考案の次の目的は、磁力吸着式接点によって、差し込み接続導電式にとって替わり、資源の浪費を避け、組立て工程を一層簡単にすることにある。
本考案のもう一つの目的は、磁力吸着式接点によってクリスマスツリー豆電球の巻きつけ方式を改良し、及び電力供給方式によって生産方式を変更し、大幅にコストダウンできる入力電圧方式を提供することにある。
【００１１】
本考案の又別の目的は、磁力吸着式接点によって発光ダイオードを接続すると共に、磁力吸着式接点の上に電流制限レジスターを加え、且つ前記電流制限レジスターの数量を発光ダイオードの繋がり数量に合わせ、発光ダイオードが焼き壊れる状況を予防することが出来るようにすることである。磁力接点の製造プロセスは簡単で、加工過程の検査も容易であり、且つ電力を節約でき、電源線の過負荷の問題もなく、操作上安全性があり、使用寿命も比較的長い。
【００１２】
本考案の又もう一つ別の目的は、磁力吸着接点によって、２４ＡＣＶ又は２４ＤＣＶの信号源電圧としての低電圧を導通することにある。前記低電圧は、電器特性規範において人体接触安全範囲に属し、アメリカＵＬ安全テスト及びヨーロッパＣＥ電器特性認証に合格でき、製品の出荷時間を短縮し、国際競争力を増強することが出来る。
【００１３】
本考案の更に別の目的は、本考案によるクリスマスツリーのユーザーが自分で好みのランプ色彩を設計施工し、感電や安全規範に抵触する心配もなく、且つ故障時にも故障部分を交換するだけで、一層容易に交換できるようにすることにある。
【課題を解決するための手段】
【００１４】
本考案に係る発光点滅するクリスマスツリー装置は、少なくとも、
本体の上に複数個の差し込み穴があり、前記本体の形状は、長方四角形又は円形又は台形であってよいことを特徴とする導電管と、
前記本体の上に付着し、且つその体積が導電管より小さく、形状は細長い形状であってよいことを特徴とする導電板と、
前記導電板の背面底部に付着し、その体積が導電板より大きく、導電板と導電管が分割絶縁できることを特長とする絶縁体と、
細長い棒状で、本体の差し込み穴の中へ差し込んで固定できる差し込み棒と、
一つながりの発光エレメントとして、差し込み棒の上に巻きつけた発光ダイオードと、
磁力吸着式接点差し込みであり、一つながりになった発光ダイオードと接続された導電マグネット器と、
導電管及び導電板の上に接続され、発光色彩及び発光順序を変更できる発光エレメント制御器と、
発光エレメント制御器と接続すると共に、低電流電圧を提供する電源サプライヤーと、
導電管をその上に置いて、導電管が佇立できるようにした導電管台座と、を含む。
【００１５】
前記差し込み棒を固定する方式には、下記のような方式がある。
（１）本体内部が中空で、本体外部周囲には対応する差し込み穴があり、且つ差し込み棒の底部に突起物及び固定リングを設けてある。前記突起物には軟質特性があり、差し込み棒底部の突起物を本体差し込み穴の中に差し込み、次に差し込み棒底部の突起物を別の一端の差し込み穴から出し、固定リングを本体の差し込み穴の縁にピッタリ取り付けることによって、二つの差し込み穴をよりどころとして、差し込み棒を固定する。
【００１６】
（２）本体の差し込み穴の中にメスネジ山を設け、差し込み棒の尾端部（差し込み部分）にはオスネジ山を設け、差し込み棒を差し込み穴の中へ差し込む時は、ただ差し込み棒を一回転させるだけで、オスネジ山によってメスネジ山と結合し、固定することが出来る。
【００１７】
前記導電マグネット器には、二股分岐が備わっており、一端は負極マグネット・ヘッドで、一端は正極マグネット・ヘッドである、前記導電マグネット器の一端は導電管に付着し、別の一端は導電板の上に付着し、且つ導電マグネット器の上には電流制限レジスターを設け、発光ダイオードが電圧過大によって焼けつくのを防ぐことが出来る。
【考案の効果】
【００１８】
本考案は、２４ボルト以下の電流電圧を利用するだけで、クリスマスツリーの光源を点灯させ、且つ光源に変化をもたらし、一層祭日の気分を添えることが出来る。
【考案を実施するための最良の形態】
【００１９】
図１は、本考案の斜視構造略図である。図１に示すように、本考案に係る発光点滅するクリスマスツリーの新式構造装置は、少なくとも、導電管１と導電板２と、絶縁体３と、差し込み棒４と、発光ダイオード５と、導電マグネット器６と、発光エレメント制御器７と、電源サプライヤー８と、導電管１をその上に置いて、導電管１が佇立できるようにした導電管台座９と、を含む。
【００２０】
導電管１は本体の上に複数個の差し込み穴１１があり、前記本体の形状は、長方四角形であり、ａ，ｂ，ｃ，ｄ四つの面を備え、且つその形状は円形又は台形であってよい。
【００２１】
導電板２は前記本体ａ，ｂ，ｃ，ｄ四つの面の上に付着し、且つその体積が導電管１より小さく、形状は細長い棒状であってよい。
【００２２】
絶縁体３は前記本体ａ，ｂ，ｃ，ｄ四つの面上の導電板２の背面底部に付着し、その体積が導電板２より大きく、導電板２と導電管１が分割絶縁できる。
【００２３】
差し込み棒４は細長い棒状で、本体の差し込み穴１１の中へ差し込んで固定できる。
【００２４】
発光ダイオード５は一つながりの発光エレメントとして、差し込み棒の上に巻きつけられる。
【００２５】
導電マグネット器６は磁力吸着式接点差し込みを有し、発光ダイオード５と接続されて一つながりになっている。
【００２６】
発光エレメント制御器７は導電管１及び導電板２の上に接続され、発光エレメント５の発光色彩及び発光順序を変更できる。
【００２７】
電源サプライヤー８は発光エレメント制御器７と接続すると共に、その上に電源差し込み８１を設け、家庭用電圧（１１０Ｖ又は２２０Ｖ）を利用して電圧を供給すると共に、家庭用電圧を２４ＤＣＶ又は２４ＡＣＶ以下の信号源低電圧に転換し、本考案の電源電圧として供給する。
【００２８】
導電管台座９は導電管１をその上に置いて、導電管１が佇立できるようにした。
現在、前記導電管１の最も好ましい実施例は長方四角形である。
【００２９】
図２Ａ、図２Ｂ及び図２Ｃは、本考案の簡易実施例略図、簡易実施拡大略図及び差し込み棒を導電管差し込み穴に差し込むフロー図である。
【００３０】
導電マグネット器６は、磁力吸着式接点差し込みであり、磁力によって導電管１及び導電板２の上に付着させ、且つ発光ダイオード５を導電マグネット器６の上に設けて、一つながりとすることが出来る。
【００３１】
導電板２の背面底部に絶縁体３を設けることによって、導電板２と導電管１が分割絶縁される。
【００３２】
前記導電マグネット器６には、二股分岐が備わっており、一端は負極マグネット・ヘッド６１で、一端は正極マグネット・ヘッド６２である、前記マグネット・ヘッドの一端は導電管１に付着し、別の一端は導電板２の上に付着し、前記導電管１と導電板２の極性は自分で調整することが出来る。
【００３３】
電源サプライヤー８の電源差し込み８１に差し込み、且つ導電マグネット器６の分岐ヘッドを導電管１と導電板２の上に置くと、発光ダイオード５が触発され、光源が生じる。発光ダイオード５のつながり数量は１〜１２個まで、ユーザーの好みに従って自分でアレンジできる。
【００３４】
ユーザーは、発光エレメント制御器７によって発光ダイオード５の色を変更できる。発光ダイオード５が複数個直列につながっている場合も、発光順序を変えることが出来、異なる色の発光ダイオード５を排列によって発光させ、又は発光エレメント制御器７によって自分でランダムに発光させ、変化の多い光源照射を行い、本考案によるクリスマスツリーの美観効果を倍増させ、祭日気分を一層強化することが出来る。
【００３５】
差し込み棒４は、細長い棒状のもので、導電管１の差し込み穴１１の中に差し込みんで、固定する。差し込み棒を固定する実施例の一つ（固定方式にはいくつもあるが、本考案では一例を取って説明する）は、本体内部を中空とし、本体外部周囲には対応する差し込み穴１１があり、且つ差し込み棒４の底部に突起物４１及び固定リング４２を設けてある。前記突起物４１には軟質特性があり、差し込み棒４底部の突起物４１を本体差し込み穴１１の中に差し込み、次に差し込み棒４底部の突起物４１を別の一端の差し込み穴１１から突き出し、固定リング４２を本体の差し込み穴１１の縁にピッタリ取り付けることによって、二つの差し込み穴１１をよりどころとして、差し込み棒４を固定する。
【００３６】
図３Ａ、図３Ｂは、本考案の発光ダイオード５及び導電マグネット器６の電気回路略図、及びもう一つの実施電気回路略図である。
【００３７】
発光ダイオード５及び導電マグネット６の実施電気回路は二種類あり、一種類は、図３Ａに示すように固定式で、別の種類は、図３Ｂに示すように活動式である。
【００３８】
二種類の実施電気回路の最大の違いは、固定式の実施電気回路は電気回路をプリント基板の上に置き、プリント基板そのものに負極マグネット・ヘッド６１と、正極マグネット・ヘッド６２と、電流制限レジスター６３とを設けると共に、発光ダイオード５で直列に形成された一つながりのランプと接続している。
【００３９】
活動式の実施電気回路は、電気回路を部品として直列につなぎ、負極マグネット・ヘッド６１及び正極マグネット・ヘッド６２を活動式としている。前記電気回路にも、電流制限レジスター６３が含まれ、且つ発光ダイオード５で直列に形成された一つながりのランプと直列につながっている。
【００４０】
複数個の発光ダイオード５によって直列に一つながりのランプを形成し、その直列数量は１〜１２個まであり、ユーザーの好みによって自分で決定できる。発光ダイオード５によって直列につないだランプのつながり数量が異なる場合は、その電流制限レジスター６３の値も異なる。
【００４１】
図４は、本考案の実施略図である。
ユーザーは、差し込み棒４の上にクリスマスの飾り物や発光ダイオード５で直列につないだつながりランプの５を差し込み棒４の上に巻きつけることが出来、又、発光ダイオード５によって連結形成された分布位置を、任意に変更し、及びつながりランプの点滅順序を制御し、且つ発光ダイオード５の色彩を任意に組み合わせることが出来る。
【００４２】
本考案のクリスマスツリーを利用するには、ただ２４ボルト以下の電流電圧を利用するだけで、クリスマスツリーの光源を点灯させ、且つ光源に変化をもたらし、一層祭日の気分を添えることが出来る。
【００４３】
又、本考案は低電圧電源の制御電気回路を利用することによって、一つながりの発光ダイオード・ランプの点滅順序を制御し、又、一つながりの発光ダイオード・ランプの分布位置を任意に変更すると共に、異なる発光ダイオードの色彩を任意に組み合わせ、及び差し込み穴のない磁性電源システムを提供することが出来る。
【００４４】
前記磁性電源システムは信号電圧源を長方四角形の本体に供給し、前記本体には、四つの面があり、一つ一つの面にそれぞれ独立した信号源電圧を備え、ユーザーが自分で必要な信号源電圧を選択することができる。
【００４５】
又、発光エレメント制御器によって、発光ダイオードの光源に多様な点滅形態を生じさせ、祭日の気分を添えることが出来る。同時に、本考案の提供する電源は、２４ボルト以下に制限されるので、電気特性規範において人体接触安全範囲に属し、その安全性を増加することが出来る。
【００４６】
上述した詳細な説明は、本考案の実施可能な一実施例の具体的な説明に過ぎず、前記した実施例に限定されるものではなく、凡そ本考案の技術思想を逸脱せずになされる等価の実施又は変更は、全て本考案に含まれるものである。
【図面の簡単な説明】
【００４７】
【図１】本考案の斜視構造略図である。
【図２Ａ】本考案の簡易実施略図である。
【図２Ｂ】本考案の簡易実施拡大略図である。
【図２Ｃ】本考案の差し込み棒を導電管差し込み穴へ差し込むフロー図である。
【図３Ａ】本考案の発光ダイオード及び導電マグネット器の電気回路略図である。
【図３Ｂ】本考案の発光ダイオード及び導電マグネット器の別の実施電気回路略図である。
【図４】本考案の実施略図である。
【符号の説明】
【００４８】
１・・・・・・導電管
１１・・・・・差し込み穴
２・・・・・・導電板
３・・・・・・絶縁体
４・・・・・・差し込み棒
４１・・・・・突起物
４２・・・・・固定リング
５・・・・・・発光ダイオード
６・・・・・・導電マグネット器
６１・・・・・負極マグネット・ヘッド
６２・・・・・正極マグネット・ヘッド
６３・・・・・電流制限レジスター
６１ａ・・・・活動式負極マグネット・ヘッド
６２ａ・・・・活動式正極マグネット・ヘッド
７・・・・・・発光エレメント制御器
８・・・・・・電源サプライヤー
８１・・・・・電源差し込み
９・・・・・・導電管台座
【図１】
0003120299.tif 000003
【図２Ａ】
0003120299.tif 000004
【図２Ｂ】
0003120299.tif 000005
【図２Ｃ】
0003120299.tif 000006
【図３Ａ】
0003120299.tif 000007
【図３Ｂ】
0003120299.tif 000008
【図４】
0003120299.tif 000009